(57)【要約】【課題】本発明は、前面吸込み口に可動パネルを備えたうえで、運転状況等を表示する表示装置の視認性の向上化を得るとともに、表示装置を備えることによる室内空気の吸込み量の低減を防止して、空調性能の向上を得られる空気調和機の室内機を提供する。【解決手段】室内機本体１の内部に、前面吸込み口３と対向して熱交換器９と、駆動にともなって室内空気を前面吸込み口から室内機本体内に吸込み熱交換器と熱交換させたあと吹出し口４から室内へ送風する送風機１２を配置し、前面吸込み口に空調運転開始−運転停止の信号にもとづいて前面吸込み口を自動で開閉する可動パネル６を取付け、可動パネルに前面吸込み口に対する開閉位置に係らず室内の居住人に対する視認性を変えることなく運転状況等を表示する表示装置２０を設けた。【選択図】    図１
2009127979.tif 000002
【特許請求の範囲】
【請求項１】
少なくとも前面に吸込み口を備えるとともに、この前面吸込み口の下部に吹出し口を備えた室内機本体と、
この室内機本体の内部に、冷凍サイクルを構成する熱交換器および、室内空気を前面吸込み口から室内機本体内に吸込み熱交換器と熱交換させたあと上記吹出し口から室内へ送風する送風機と、
上記前面吸込み口に取付けられ、前面吸込み口を自動で開閉する可動パネルと、
この可動パネルに設けられ、運転状況等を表示する表示装置と
を具備することを特徴とする空気調和機の室内機。
【請求項２】
上記可動パネルは断面形状が上下方向に沿って湾曲成され、
上記表示装置は、可動パネルの湾曲面の接線と垂直な法線方向が水平方向線以下に傾く位置に取付けられることを特徴とする請求項１記載の空気調和機の室内機。
【請求項３】
上記可動パネルの下端部は、運転停止時に前面吸込み口の下端部から上記吹出し口の少なくとも一部を覆うように延設されるとともに、前面吸込み口の開放時には、吹出口前面より上方に位置するように移動し
上記表示装置は、可動パネルの下端近傍部表面に取付けられることを特徴とする請求項１記載の空気調和機の室内機。
【請求項４】
上記可動パネルは、上記室内機本体にパネル開閉機構を介して取付けられ、
上記表示装置は、上記室内機本体に備えられる制御部とリード線を介して電気的に接続され、
上記リード線は、その中途部が上記パネル開閉機構を構成するアームに掛止されることを特徴とする請求項１ないし請求項３のいずれかに記載の空気調和機の室内機。
【発明の詳細な説明】
【技術分野】
【０００１】
本発明は、前面吸込み口に可動パネルを備えた空気調和機の室内機に係り、特に運転状況等を表示する表示装置の取付け構造に関する。
【背景技術】
【０００２】
空気調和機を構成する室内機は、壁掛け形と呼ばれる壁面高所に取付けられるタイプのものが主流を占めている。この種の室内機において、室内機本体に数個のＬＥＤで構成される表示部と、遠隔操作信号を受信する受信部とが設けられる一方で、空調運転に関する設定内容を表示する画面を備えたリモコン（遠隔操作盤）を有している。
【０００３】
使用者が、上記表示部の表示内容を確認しながらリモコンに空調運転の種類や設定温度等を設定すると、リモコンから発信された信号が室内機本体の受信部で受信される。設定内容の信号は受信部から制御部へ送られ、圧縮機や送風機等の運転部品が制御される。設定内容はリモコンの表示部に表示され、使用者は運転状況を確認できる。
【０００４】
初期の機種では、上記表示装置は室内機本体の前面に形成される吸込み口と、前面下部に設けられる吹出し口との間の側部に設けられていた。極く狭いスペースに取付けられるところから、表示装置自体も小型化をせざるを得ない。したがって、ＬＥＤランプの表示のみですませており、表示内容が乏しいものであった。
【０００５】
そこで、［特許文献１］において、運転状況を表示する大形の本体液晶表示装置を、本体の略中央部でやや下向きに配設したことを特徴とする空気調和機が提供された。具体的には、前面パネルの中央部に大形の本体液晶表示装置を取付け、この左右両側に吸込み口が形成されている。
【特許文献１】特開２００１−１１６３３３号公報
【発明の開示】
【発明が解決しようとする課題】
【０００６】
なお、［特許文献１］の技術は視認性の向上を得るが、本体液晶表示装置と対向する前パネルの中央部分が手前側に突出しているので、美観が損なわれている。前パネルの製造性が悪くなり、コストに影響が出る。しかも、本体ケーシングの前面に形成される吸込み口の一部を潰して（閉塞して）、本体液晶表示装置を取付けなければならない。
【０００７】
さらに、本体ケーシングに回動自在に取付けられる前パネルは、その中央部が本体液晶表示装置を覆うことから閉塞され、この左右両側に吸込みグリルが形成されている。換言すれば、吸込み用の開口面積が本体液晶表示装置のために低減することになり、一般的な室内機と比較して室内空気の吸込み量が少なく、空調性能が低下してしまう。
【０００８】
ところで、近年、前面吸込み口に対してグリルの無い平板状の可動パネルを設け、運転停止時において本体前面を完全閉塞して塵埃の侵入を阻止する。運転開始とともに可動パネルを前面に突出させ、可動パネルと本体前面との間に隙間を形成して、この隙間から室内空気を吸込ませるようにした空気調和機の室内機が提供されるようになった。
【０００９】
この種の室内機において、室内機本体の可動パネルで覆われる前面吸込み口と、吹出し口との間の桟状部分に表示装置を備えると、視認性に欠ける。また、［特許文献１］のような大形の表示装置を備えると、特に可動パネルの美観が損なわれるとともに、製造性が悪くコストに影響を残してしまう。
【００１０】
本発明は上記事情にもとづきなされたものであり、その目的とするところは、前面吸込み口に可動パネルを備えて、空調運転時には可動パネルと室内機本体との隙間から室内空気を吸込むようにしたうえで、運転状況等を表示する表示装置の視認性の向上を得るとともに、表示装置を備えることによる室内空気の吸込み量の低減を防止して、空調性能の向上を得られる空気調和機の室内機を提供しようとするものである。
【課題を解決するための手段】
【００１１】
上記目的を満足するため本発明の空気調和機の室内機は、室内機本体の少なくとも前面に吸込み口を備えるとともに前面吸込み口の下部に吹出し口を備え、この室内機本体の内部に冷凍サイクルを構成する熱交換器と、室内空気を前面吸込み口から室内機本体内に吸込み熱交換器と熱交換させたあと吹出し口から室内へ送風する送風機を配置し、前面吸込み口に前面吸込み口を自動で開閉する可動パネルを取付け、可動パネルに運転状況等を表示する表示装置を設けた。
【発明の効果】
【００１２】
本発明によれば、運転状況等を表示する表示装置の視認性の向上を得るとともに、表示装置を備えることによる室内空気の吸込み量の低減を防止して空調性能の向上を得られる等の効果を奏する。
【発明を実施するための最良の形態】
【００１３】
以下、本発明の一実施の形態を図面にもとづいて説明する。  
図１は空気調和機の室内機の断面を模式的に示している。  
図中１は筐体である室内機本体であり、これは側面視で湾曲成される前面パネル１Ａと、上面部と下面部および左右両側部がほぼ平板状をなす後板部１Ｂとから構成される。後板部１Ｂの上面には上面吸込み口２が設けられ、前面パネル１Ａの上部側に前面吸込み口３が設けられ、前面パネル１Ａ下部と後板部１Ｂ前面下部とで吹出し口４が開口される。
【００１４】
上面吸込み口２にはグリル５が嵌め込まれていて、上面吸込み口２は常時開放状態にある。前面パネル１Ａの上端部は、ここでは図示しないヒンジ部を介して後板部１Ｂ前面上端に回動自在に支持され、下端部は後板部１Ｂに対して開閉自在となっている。
【００１５】
上記前面パネル１Ａに設けられる前面吸込み口３は、前面パネル１Ａに対して後述するパネル開閉機構Ｋを介して取付けられる可動パネル６によって開閉されるようになっている。上記吹出し口４は、それぞれ別個に回動制御される２枚の吹出しルーバー７Ａ，７Ｂによって開閉自在である。
【００１６】
室内機本体１内には、前側熱交換器部９Ａと後側熱交換器部９Ｂとで略逆Ｖ字状に形成される熱交換器９が配置される。上記前側熱交換器部９Ａは、前面パネル１Ａおよび可動パネル６と間隙を存してほぼ平行に湾曲成される。後側熱交換器部９Ｂは、直状で斜めに傾斜され上面吸込み口２と対向する。
【００１７】
上記熱交換器９の前側熱交換器部９Ａの前面側には、電気集塵機１０が取付けられている。この電気集塵機１０は、本来の集塵動作を行うばかりでなく、オゾン発生装置として動作させることも可能である。熱交換器部９と、前面吸込み口３および上面吸込み口２との間に亘ってフィルタ１１が介在される。このフィルタ１１は前面パネル１Ａを可動パネル６ごと開放することにより、容易に室内機本体１に対して挿脱可能である。
【００１８】
上記熱交換器９の前後側熱交換器部９Ａ，９Ｂの相互間で、かつ上記吹出し口７と対向して送風機１２が配置される。この送風機１２は、熱交換器９の幅方向寸法と略同一の軸方向寸法を備え、熱交換器９と対向して配置される横流ファンと、この横流ファンを回転駆動するファンモータとから構成される。
【００１９】
前側熱交換器部９Ａの下端部は前ドレンパン１３ａ上に載り、後側熱交換器部９Ｂの下端部は後ドレンパン１３ｂ上に載って、それぞれの熱交換器部９Ａ，９Ｂから滴下するドレン水を受け、外部に排水できる。前後ドレンパン１３ａ，１３ｂの一部側壁外面は送風機１２に近接した位置に設けられ、送風機１２のファンに対するノーズｎを構成する。
【００２０】
ノーズｎを構成する前後ドレンパン１３ａ，１３ｂの側壁部分と、吹出し口４の各辺部との間は、隔壁部材１４によって連結される。この隔壁部材１４で囲まれる空間が、ノーズｎと吹出し口４とを連通する吹出し通風路１５となる。
【００２１】
上記可動パネル６は、上下方向に沿って湾曲した断面形状をなしていて、この可動パネル６の表面で下端近傍の一側部には、たとえば液晶パネルや有機ＥＬパネル等からなる表示装置２０が取付けられる。
【００２２】
なお説明すると、可動パネル６の下端部は前面吸込み口３の下端部から上記吹出し口４の一部を覆うように延設される。上記表示装置２０は、このような可動パネル６の吹出し口４一部を覆うよう延設された部位の表面に取付けられていて、室内機本体１内部に収容される制御部Ｓと電気的に接続される。
【００２３】
上記表示装置２０は、図８に示すように、たとえば現在時刻と、室内温度と、外気温を選択表示するとともに、設定された空調運転の消費電力および電気代までの表示を可能としている。したがって、使用者は過剰な、もしくは不要な空気調和機の使用を規制する意識を常に得られる。
【００２４】
上記熱交換器９の一側部は室内機本体１の側面板と間隙を存して配置されていて、ここに制御部Ｓを収容する電気部品箱が配置される。上記制御部Ｓは、リモコンからの信号を受ける受信部、前面吸込み口３、上面吸込み口２、熱交換器９、吹出し口４等に取付けられる温度センサや湿度センサと電気的に接続され、これらから送られる信号を受ける。
【００２５】
そして制御部Ｓは、電気集塵機１０を構成する電極、送風機１２の駆動モータ、吹出し口４に設けられる吹出しルーバー７Ａ，７Ｂを駆動するルーバー開閉機構の駆動源、上記表示装置２０および室外機と電気的に接続されていて、それぞれの構成部品に必要な制御信号を送る。
【００２６】
つぎに、上記表示装置２０の取付け姿勢について詳述する。  
図１は、空気調和機として運転停止状態にあり、可動パネル６は前面吸込み口３を閉成している。上述したように可動パネル６の断面形状は上下方向に沿って湾曲成されていて、上下方向部位が異なることで、それぞれの部位における接線方向が異なるとともに、接線と垂直な線である法線方向が異なる。
【００２７】
断面湾曲成される可動パネル６は、上下方向の中間位置において、接線と垂直な法線が水平方向線と略一致する。そして、可動パネル６の中間位置よりも上部側にあっては、法線が水平方向線よりも上方へ傾き、中間位置よりも下部側にあっては、法線が水平方向線よりも下方に傾くことになる。
【００２８】
図１に示す上記可動パネル６が前面吸込み口３を閉成する状態において、可動パネル６の下端部に取付けられる上記表示装置２０は、断面湾曲成される可動パネル６の接線Ｌａと垂直な線である法線Ｌｂが、水平方向線Ｌｃから所定角度αＡ°存した下部側に傾いている。
【００２９】
したがって、空気調和機の室内機が壁掛け形と呼ばれる壁面高所に取付けられるタイプでありながら、室内における居住人は座り姿勢と立ち姿勢のいずれにおいても表示装置２０に対する視認性を良好に確保できる。
【００３０】
図２は可動パネル６を半開きした空気調和機室内機の概略断面図であり、図３は同じ可動パネル６を半開きした室内機の斜視図であり、図４は可動パネル６を全開した状態での室内機の概略断面図である。  
リモコンの運転スイッチをオンに切換えると、運転モードの選択に応じて可動パネル６の開放姿勢が相違してくる。除湿運転モードが選択された場合や、室内機本体１の内部乾燥運転モードが選択された場合は、図２および図３に示すように可動パネル６が前面吸込み口３に対して半開きとなる。
【００３１】
すなわち、パネル開閉機構Ｋが作動して、前面吸込み口３に嵌め込まれていた可動パネル６を、前面吸込み口３から前方（手前側）に突出させるとともに、わずかに上方に持ち上げる。可動パネル６の断面形状から前面吸込み口３からの突出量は、可動パネル６の上端ｅが下端ｄよりもわずかに大となる。
【００３２】
可動パネル６の半開き状態は、図１に示す可動パネル６の全閉姿勢よりも上端ｅがわずかに前方に傾くので、可動パネル６下端部に取付けられる表示装置２０は、より下部側に傾く。具体的には、表示装置２０が取付けられる部位は、湾曲面の接線Ｌａと垂直な法線Ｌｂが水平方向線Ｌｃより所定角度αＢ°だけ下方に向く。
【００３３】
このように可動パネル６を半開きすると、表示装置２０の水平方向線Ｌｃに対する法線Ｌｂの角度αＢ°は、可動パネル６が前面吸込み口３を閉成する状態での水平方向線Ｌｃに対する法線角度αＡ°よりもわずかに大（αＡ°＜αＢ°）になる。  
表示装置２０としては、より大きく傾くことになり、そのため室内の居住人は、立ち姿勢と座り姿勢のいずれにおいても、可動パネル６に設けられる表示装置２０の表示内容を容易に確認できて視認性の向上を得る。
【００３４】
冷凍サイクル運転としては、上記熱交換器９で冷媒が蒸発し、送風機１２の風量が極く小さく抑えられる。吹出し口４から吹出される熱交換空気は極く少なく、しかも上部側の吹出しルーバー７Ａと下部側の吹出しルーバー７Ｂの回動角度もわずかであるところから、熱交換空気は吹出し口４から主に可動パネル６の裏面側に沿って導かれる。
【００３５】
そして、熱交換空気は前面吸込み口３の上部側と、可動パネル６と前面パネル１Ａとの隙間から室内機本体１内部に吸込まれ、再び熱交換器９と熱交換する。熱交換空気は吹出し口４からほとんど室内へ吹出されることなく、室内機本体１前面をショートサーキット状態で循環する。
【００３６】
したがって、室内の居住人に冷気が当たることが無い状態での除湿作用が行われ、快適空調が得られる。あるいは、熱交換器９やドレンパン１３ａ，１３ｂもしくは通風路１５等に付着するドレン水滴を早急に蒸発化して本体１内の乾燥を図り、カビの発生を防止する。いずれにしても、吸込み面積を確保して空調性能の向上を得る。
【００３７】
冷房運転モードもしくは暖房運転モードが選択されると、可動パネル６は図４に示すように前面吸込み口３を全開する。このときは、吹出し口４に設けられる両吹出しルーバー７Ａ，７Ｂがともに半開き状態のときよりも大きく回動設定される。  
具体的には、冷房運転モードが選択されると、吹出しルーバー７Ａ，７Ｂはほとんど水平方向へ向けられ、居住人に冷風が直接当たらないようにする。暖房運転モードが選択されると、吹出しルーバー７Ａ，７Ｂはほとんど直下方向に向けられ、いわゆる頭寒足熱をなすよう居住人の足元へ温風を吹出す。
【００３８】
冷暖房いずれの運転時においても、上記パネル開閉機構Ｋは可動パネル６を最大限前方（手前側）へ突出する。したがって、可動パネル６は先に図１で示す前面吸込み口３を完全閉成する位置および、図２と図３で示す半開き位置よりも上方へ移動する。
【００３９】
なお説明すると、パネル開閉機構Ｋを構成する駆動アーム２６が、室内機本体１に設けられる枢支点位置よりも可動パネル６に設けられる自由端位置が高くなるよう回動駆動される。駆動アーム２６の下部側に設けられる従動アーム２７は、室内機本体１に設けられる枢支点位置と、可動パネル６に設けられる自由端位置が略水平になる。
【００４０】
したがって、可動パネルの下端ｄと上端ｅの位置は、半開き位置よりも上部にある。駆動アーム２６と従動アーム２７の全長の相違および回動姿勢の相違から、室内機本体１前面である前面パネル１Ａから可動パネル６下端ｄまでの間隔よりも、前面パネル１Ａから可動パネル６上端ｅまでの間隔が大になる。
【００４１】
可動パネル６の半開き姿勢と比較して上端ｅが前方に大きく傾くので、可動パネル６の下端部に設けられる表示装置２０は、より下部側に傾く。表示装置２０においても、可動パネル６の湾曲面接線Ｌａと垂直な法線Ｌｂが水平方向線Ｌｃよりも所定角度αＣ°だけ下方に傾く。
【００４２】
この可動パネル６の水平方向線Ｌｃに対する法線角度αＣ°は、可動パネル６を半開きした法線角度αＢ°よりも大になる。そのため室内の居住人は、立ち姿勢にあるときは勿論のこと、座り姿勢にあっても、可動パネル６に設けられる表示装置２０の表示内容を容易に確認できて、さらなる視認性の向上を得る。
【００４３】
冷房運転と暖房運転時は、可動パネル６は前面パネル１Ａとより離間するところから、より多量の室内空気が可動パネル６と前面パネル１Ａとの隙間から前面吸込み口３を介して室内機本体１内へ、および上面吸込み口２から室内機本体１内へ吸込まれて熱交換器９へ導かれる。
【００４４】
いずれの運転時にも充分な風量を確保できるとともに熱交換器９への滞留域の低減化をなし、熱交換効率と空調性能の向上を得る。表示装置２０は吹出し口４の上方へ移動しているので、冷房運転時における冷風の直接的な影響を受けずにすみ結露の発生がない。暖房運転時には温風の直接的な熱影響を受けずにすみ、熱変形の発生がない。
【００４５】
空調運転を終了するためリモコンの運転スイッチをオフにすると、冷凍サイクル運転が終了するとともに、送風機１２および電気集塵機１０の作用が停止する。同時に、パネル開閉機構Ｋは可動パネル６を後退移動させて、再び図１に示すように前面パネル１Ａに密着させ前面吸込み口３は閉成される。
【００４６】
この運転停止時は、可動パネル６が前面パネル１Ａに重ね合わされた状態となって、前面パネル１Ａに設けられる前面吸込み口３を閉成する。したがって、前面吸込み口３から室内機本体１内部への塵埃の侵入はない。吹出し口４も２枚の吹出しルーバー７Ａ，７Ｂによって閉成され、塵埃の本体１内部侵入を阻止して種々の不具合発生がない。
【００４７】
つぎに、上記可動パネル６に取付けられる表示装置２０と制御部Ｓとを電気的に接続するリード線Ｒの掛止構造について説明する。  
上述したように可動パネル６の表面下端部に表示装置２０が取付けられる一方で、可動パネル６の裏面にパネル開閉機構Ｋが設けられている。換言すると、可動パネル６はパネル開閉機構Ｋを介して室内機本体１に取付けられていて、上記リード線Ｒは、表示装置２０とパネル開閉機構Ｋを介して室内機本体１内の制御部Ｓに配線される。
【００４８】
パネル開閉機構Ｋは、駆動モータに減速機構を介して連結される駆動軸と、複数本のアームを組合せたリンク機構体２２とから構成される。リンク機構体２２は、固定アーム２５と、上述した駆動アーム２６および従動アーム２７と、駆動アーム２６と従動アーム２７に回動自在に連結される補助アーム２８を備えた、平行４リンク機構である。
【００４９】
さらに、固定アーム２５と従動アーム２７との間には、弾性体であり引張りばねとしてのコイルスプリング２９が張設され、固定アーム２５と従動アーム２７との間隔が近接するよう弾性力を付勢している。駆動アーム２６と補助アーム２８との間には、補助リンク機構３０が設けられる。
【００５０】
このように構成され、上述したように可動パネル６を作動するパネル開閉機構Ｋであって、ここに表示装置２０と制御部Ｓとを電気的に接続するリード線Ｒを挿通しなければならない。そのため、図５ないし図７に示すように、従動アーム２７の一側部には上記リード線Ｒの中途部を保持する掛止部３１が設けられる。
【００５１】
上記掛止部３１は、リード線Ｒが挿通する挿通用孔を備えているとともに、この挿通用孔に挿通するリード線Ｒの中途部を固定保持する。したがって、制御部Ｓから掛止部３１との間と、表示装置２０から掛止部３１との間の、それぞれのリード線Ｒ長さは、可動パネル６の姿勢に係らず変化しない。
【００５２】
図５に示す可動パネル６の前面吸込み口３閉成時では、リード線Ｒは制御部Ｓと掛止部３１との間においては、略水平でかつ弛み状態となる。掛止部３１と表示装置２０との間においては、掛止部３１から斜めに垂下されている。なお、制御部Ｓから掛止部３１を介して表示装置２０に至る間において、リード線Ｒに接触する他の構成部品はない。
【００５３】
以上は可動パネル６が前面吸込み口３を閉成した際のリード線Ｒの形状であり、図６は可動パネル６が前面吸込み口３を半開きした際のリード線Ｒの形状であり、図７は可動パネル６が前面吸込み口３を全開した際のリード線Ｒの形状である。
【００５４】
図６の半開き時では、従動アーム２７の自由端である下端部ｇが、閉成時よりも回動していて、従動アーム２７に設けられる掛止部３１の位置がわずかに前方へ移動する。そのため、制御部Ｓと掛止部３１との間のリード線Ｒは図５の閉成時よりもわずかに緊張し、掛止部３１と表示装置２０との間のリード線Ｒはわずかに弛む。
【００５５】
図７の全開時では、従動アーム２７の自由端ｇが枢支端ｈとほぼ並行状態にあり、掛止部３１は半開き時よりも上方へ移動する。これにともない、制御部Ｓと掛止部３１との間のリード線Ｒは図６の半開き時よりも水平に近い状態で緊張し、掛止部３１と表示装置２０との間では弛み状態が顕著になる。
【００５６】
可動パネル６が前面吸込み口３を閉成する位置から半開きし、さらに全開に至るまで、可動パネル６の姿勢変更にともないリード線Ｒの形態が変化する。しかしながら、リード線Ｒの中途部はパネル開閉機構Ｋを構成する従動アーム２７に設けた掛止部３１に保持しているので、リード線Ｒの形態変化を規制するもの（構成部品）は存在しない。
【００５７】
すなわち、可動パネル６の姿勢変化にともない、表示装置２０と制御部Ｓとの間を電気的に接続するリード線Ｒも形態変化するが、リード線Ｒが他の構成部品に引っ掛ることはない。可動パネル６の開閉動作は常に円滑であり、リード線Ｒは全長と接続端部において破断・破損事故から守られて信頼性を得る。
【００５８】
室内機の組立製造時において、可動パネル６にパネル開閉機構Ｋを取付けたものを可動パネル組立として管理する。掛止部３１にリード線Ｒの中途部を保持し、かつリード線Ｒの一端部を表示装置２０に接続しておく。リード線Ｒの他端部はそのまま丸めておき、可動パネル組立の室内機本体１への組立に邪魔にならないようにしておく。
【００５９】
先に室内機本体１内部の組立を優先させ、そのあと可動パネル組立を室内機本体１に取付けるが、このときリード線Ｒの他端部が室内機本体１内の構成部品に引掛かることはない。可動パネル組立を室内機本体１に取付けた後、リード線Ｒの他端部を制御部Ｓに接続する。したがって、リード線Ｒの処理が円滑となり、製造性の向上を図れる。
【００６０】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００６１】
【図１】本発明における一実施の形態に係る、空気調和機室内機の概略断面図。
【図２】同実施の形態に係る、図１とは異なる状態の空気調和機室内機の概略断面図。
【図３】同実施の形態に係る、図２と同一状態の空気調和機室内機の概略斜視図。
【図４】同実施の形態に係る、図２は異なる状態の空気調和機室内機の概略断面図。
【図５】同実施の形態に係る、空気調和機室内機要部の概略断面図。
【図６】同実施の形態に係る、図５とは異なる状態の空気調和機室内機要部の概略断面図。
【図７】同実施の形態に係る、図６とは異なる状態の空気調和機室内機要部の概略断面図。
【図８】同実施の形態に係る、表示装置の表示画面図。
【符号の説明】
【００６２】
３…前面吸込み口、４…吹出し口、１…室内機本体、９…熱交換器、１２…送風機、６…可動パネル、２０…表示装置、Ｋ…パネル開閉機構、Ｓ…制御部、Ｒ…リード線、２７…従動アーム。
【図１】
2009127979.tif 000003
【図２】
2009127979.tif 000004
【図３】
2009127979.tif 000005
【図４】
2009127979.tif 000006
【図５】
2009127979.tif 000007
【図６】
2009127979.tif 000008
【図７】
2009127979.tif 000009
【図８】
2009127979.tif 000010